(57)【要約】【課題】本発明は照明制御システムに関し、正確に制御データを変更できる照明制御システムを得ることを目的とする。【解決手段】本発明に係る照明制御システムは、照明器具の調光指令値を含む第１設定情報が記憶された第１メモリを有し、該第１設定情報に基づき該照明器具を制御し、該照明器具の調光指令値を含む第２設定情報を受信すると該第２設定情報を該第１メモリに記憶するコントローラと、該第２設定情報を該コントローラに送信する通信機器と、を備え、該通信機器は、ネットワーク端末またはリモコン設定器から該第２設定情報に基づく制御を指令する設定指令を受信すると、該設定指令を該コントローラに送信し、該コントローラは、該設定指令を受信すると該第１設定情報に基づいた制御を該第２設定情報に基づいた制御に切り替える。【選択図】図１
2020149910.tif 000002
【特許請求の範囲】
【請求項１】
照明器具の調光指令値を含む第１設定情報が記憶された第１メモリを有し、前記第１設定情報に基づき前記照明器具を制御し、前記照明器具の調光指令値を含む第２設定情報を受信すると前記第２設定情報を前記第１メモリに記憶するコントローラと、
前記第２設定情報を前記コントローラに送信する通信機器と、
を備え、
前記通信機器は、ネットワーク端末またはリモコン設定器から前記第２設定情報に基づく制御を指令する設定指令を受信すると、前記設定指令を前記コントローラに送信し、
前記コントローラは、前記設定指令を受信すると前記第１設定情報に基づいた制御を前記第２設定情報に基づいた制御に切り替えることを特徴とする照明制御システム。
【請求項２】
前記通信機器は、少なくとも１つの設定情報が記憶された第２メモリを有し、前記少なくとも１つの設定情報のうち前記ネットワーク端末の通信プロトコルに対応する前記第２設定情報を前記コントローラに送信することを特徴とする請求項１に記載の照明制御システム。
【請求項３】
前記設定指令には制御時間情報が含まれ、
前記コントローラは、前記設定指令を受信すると前記制御時間情報に対応する時間だけ前記第２設定情報に基づいて前記照明器具を制御した後、前記第１設定情報に基づき前記照明器具を制御することを特徴とする請求項１または２に記載の照明制御システム。
【請求項４】
前記通信機器は、前記ネットワーク端末またはリモコン設定器から解除指令を受信すると、前記解除指令を前記コントローラに送信し、
前記コントローラは、前記解除指令を受信すると、前記第２設定情報に基づいた制御を終了し、前記第１設定情報に基づき前記照明器具を制御することを特徴とする請求項１から３の何れか１項に記載の照明制御システム。
【請求項５】
前記第２設定情報は前記第１設定情報よりも前記照明器具の目標調光率または目標照度が低いことを特徴とする請求項１から４の何れか１項に記載の照明制御システム。
【請求項６】
前記コントローラは、前記照明器具についての情報を前記通信機器に送信し、
前記通信機器は、前記照明器具についての情報に応じて前記設定指令を前記コントローラに送信することを特徴とする請求項１から５の何れか１項に記載の照明制御システム。
【請求項７】
前記照明器具についての情報は、前記照明器具の調光率、前記照明器具の消費電力または前記コントローラに接続される照明器具の数を含むことを特徴とする請求項６に記載の照明制御システム。
【請求項８】
前記第２設定情報は、シーン番号と、前記シーン番号に対応する調光指令値と、を含み、
前記設定指令は、前記シーン番号を含み、
前記コントローラは、前記設定指令を受信すると前記シーン番号に対応する前記調光指令値に基づき前記照明器具を制御することを特徴とする請求項１から７の何れか１項に記載の照明制御システム。
【請求項９】
前記ネットワーク端末は、パーソナルコンピュータであることを特徴とする請求項１から８の何れか１項に記載の照明制御システム。
【請求項１０】
前記ネットワーク端末は、サーバであることを特徴とする請求項１から８の何れか１項に記載の照明制御システム。
【発明の詳細な説明】
【技術分野】
【０００１】
本発明は、照明制御システムに関する。
【背景技術】
【０００２】
特許文献１には制御装置が、リモコンにより設定された制御スケジュールに基づいて伝送線上の複数の照明器具を制御する設備機器制御システムが開示されている。
【先行技術文献】
【特許文献】
【０００３】
【特許文献１】特許第４５４９８８５号公報
【発明の概要】
【発明が解決しようとする課題】
【０００４】
特許文献１のような照明制御システムでは、制御データを変更しようとする際、手動で入力することで誤った入力がなされるおそれがある。誤った制御データが入力された場合、照明制御システムが制御データ変更後に正常動作しなくなるおそれがある。
【０００５】
本発明は、上述の課題を解決するためになされたもので、正確に制御データを変更できる照明制御システムを得ることを目的とする。
【課題を解決するための手段】
【０００６】
本発明に係る照明制御システムは、照明器具の調光指令値を含む第１設定情報が記憶された第１メモリを有し、該第１設定情報に基づき該照明器具を制御し、該照明器具の調光指令値を含む第２設定情報を受信すると該第２設定情報を該第１メモリに記憶するコントローラと、該第２設定情報を該コントローラに送信する通信機器と、を備え、該通信機器は、ネットワーク端末またはリモコン設定器から該第２設定情報に基づく制御を指令する設定指令を受信すると、該設定指令を該コントローラに送信し、該コントローラは、該設定指令を受信すると該第１設定情報に基づいた制御を該第２設定情報に基づいた制御に切り替える。
【発明の効果】
【０００７】
本発明に係る照明制御システムでは、通信機器から第２設定情報が送信されることで、制御データが変更される。従って、正確に制御データを変更できる。
【図面の簡単な説明】
【０００８】
【図１】実施の形態１に係る照明制御システムを説明する図である。
【図２】実施の形態１に係る通信機器を説明する図である。
【図３】実施の形態１に係る内部システムを説明する図である。
【図４】実施の形態１に係るコントローラを説明する図である。
【図５】実施の形態１に係るシーン設定情報を説明する図である。
【図６】実施の形態１に係るスケジュール設定情報を説明する図である。
【図７】実施の形態１に係る変更後のシーン設定情報を説明する図である。
【図８】実施の形態１に係る照明制御システムの動作シーケンスを説明する図である。
【図９】実施の形態１の変形例に係る照明制御システムを説明する図である。
【図１０】実施の形態１の変形例に係る書き換え後のシーン設定情報を説明する図である。
【発明を実施するための形態】
【０００９】
本発明の実施の形態に係る照明制御システムについて図面を参照して説明する。同じ又は対応する構成要素には同じ符号を付し、説明の繰り返しを省略する場合がある。
【００１０】
実施の形態１．
図１は、実施の形態１に係る照明制御システム７０を説明する図である。照明制御システム７０は通信機器３、コントローラ１および複数の照明器具２を備える。なお、図１では便宜上、照明器具２が１つのみ図示されている。
【００１１】
通信機器３は、設備インタフェース機器とも呼ばれる。通信機器３は、コントローラ１と、ネットワーク端末であるパーソナルコンピュータ４と通信する。以下ではパーソナルコンピュータをＰＣと呼ぶ。また、通信機器３は、コントローラ１との通信プロトコルと、ＰＣ４との通信プロトコルとを変換する。
【００１２】
図２は、実施の形態１に係る通信機器３を説明する図である。通信機器３は制御部３ａと第２メモリ３ｂとを有する。制御部３ａは、コントローラ１およびＰＣ４との通信および通信プロトコルの変換を行う。第２メモリ３ｂには、後述する複数の設定情報が記憶される。
【００１３】
通信機器３は、ネットワーク接続端子３１と通信線接続端子３２とを備える。通信線接続端子３２と、後述するコントローラ１の通信線接続端子１３間は、通信線１６で接続される。通信機器３は通信線１６を介してコントローラ１と通信する。
【００１４】
ネットワーク接続端子３１は、ＬＡＮ（Ｌｏｃａｌ  Ａｒｅａ  Ｎｅｔｗｏｒｋ）１７に接続される。通信機器３は、ＬＡＮ１７を介してＰＣ４と通信する。ＬＡＮ１７は無線でも有線でも良い。ＰＣ４は、例えば店舗内で運用される。ＬＡＮ１７上では通信プロトコルＡが用いられる。通信プロトコルＡは、例えばＴＣＰ／ＩＰである。
【００１５】
ＰＣ４は通信機器３を介してコントローラ１をデマンド制御する。ＰＣ４のデマンド制御に用いられるソフトウェアは、通信信号のフレームが独自に設定された専用ソフトウェアである。
【００１６】
図３は、実施の形態１に係る内部システム６０を説明する図である。コントローラ１と複数の照明器具２は内部システム６０を構成する。
【００１７】
複数の照明器具２は、照明器具２ａ〜２ｄを含む。複数の照明器具２の各々は、調光可能な光源２１及び調光端子２２を備える。複数の照明器具２の各々は、調光端子２２から入力される調光信号に基づいて、光源２１を調光制御する。
【００１８】
複数の照明器具２は２系統に分けられる。複数の照明器具２は、系統毎に異なるスケジュールで調光制御される。説明の簡略化のため、本実施の形態では照明器具２の台数を１系統当り２台とする。１系統当たりの照明器具２は、１台以上であれば良い。また、複数の照明器具２は３系統以上に分けられてもよい。また、複数の照明器具２は全て同じ系統に属していても良い。
【００１９】
図４は、実施の形態１に係るコントローラ１を説明する図である。コントローラ１は、照度センサ１１、複数の調光信号線接続端子１２ａ、１２ｂ、通信線接続端子１３、制御部１ａおよび第１メモリ１ｂを備える。
【００２０】
制御部１ａは、複数の調光信号線接続端子１２ａ、１２ｂから調光信号を送信し、複数の照明器具２を制御する。調光信号は、例えばＰＷＭ（Ｐｕｌｓｅ  Ｗｉｄｔｈ  Ｍｏｄｕｌａｔｉｏｎ）信号または双方向通信などのデジタル信号である。コントローラ１は、調光信号の出力を２系統備える。制御部１ａは、複数の調光信号線接続端子１２ａ、１２ｂそれぞれから、独立した調光信号を送信する。また、第１メモリ１ｂには、後述する設定情報が記憶される。
【００２１】
コントローラ１の調光信号線接続端子１２ａは、照明器具２ａ、２ｂの調光端子２２と渡り配線された調光線１５で接続される。コントローラ１の調光信号線接続端子１２ｂは、照明器具２ｃ、２ｄの調光端子２２と渡り配線された調光線１５で接続される。照明器具２ａ、２ｂは第１系統に属し、照明器具２ｃ、２ｄは第２系統に属する。
【００２２】
次に、内部システム６０が外部からデマンド制御されない場合の動作について説明する。コントローラ１の制御部１ａは、照明器具２ａ〜２ｄに調光指令を送信し、照明器具２ａ〜２ｄをスケジュール運転する。スケジュール運転とは、１日を複数の時間帯に区切り、時間帯毎に設定された調光率または調光制御に自動で切り替える運転である。例えば、昼間、朝方、夕方および夜間の時間帯別に照明器具２ａ〜２ｄを調光制御する。これにより、照明器具２ａ〜２ｄの一日当たりの消費電力を抑えることができる。
【００２３】
本実施の形態では、コントローラ１は第１系統と第２系統に個別に調光信号を送信する。これにより、２系統の照明器具２を独立してスケジュール運転させることができる。
【００２４】
また、照度センサ１１はコントローラ１が設けられた空間の照度を検出する。制御部１ａは、照度センサ１１が検出した照度に基づき、例えば第１系統を調光運転する。コントローラ１は、照度センサ１１で検出した照度と目標照度とを比較し、明るさが一定になるように調光制御する。これにより、設置場所の照度を落とすことなく照明器具２ａ、２ｂの消費電力を更に抑えることができる。
【００２５】
図５は、実施の形態１に係るシーン設定情報を説明する図である。図６は、実施の形態１に係るスケジュール設定情報を説明する図である。コントローラ１の第１メモリ１ｂには、設定情報が記憶されている。設定情報は、シーン設定情報と、スケジュール設定情報とを含む。また、設定情報には、通信機器３から送信される第２設定情報と、予め第１メモリ１ｂに記憶された第１設定情報とがある。第１設定情報はスケジュール運転および調光運転に用いられる制御データである。第２設定情報は後述するデマンド制御に用いられる制御データである。第１設定情報と第２設定情報は、それぞれ複数の照明器具２の調光指令値を含む。図５は、第１メモリ１ｂに第１設定情報のみが記憶され、第２設定情報は未だ設定されていない状態を示す。
【００２６】
図５に示されるシーン設定情報は、複数のシーン情報を含む。各々のシーン情報は、シーン番号と、シーン番号に対応する調光指令値とを含む。また、調光指令値は４データ列から構成される。４データ列は、照度センサ１１の入切情報、第１系統の第１目標調光率、第２系統の第２目標調光率および目標照度を含む。
【００２７】
照度センサ１１の入切情報は、照度センサ１１を用いた照度を一定とする制御を入切する設定である。また、目標照度は、照度センサ１１を用いた明るさ一定制御の目標値である。照度センサ１１が入のとき、制御部１ａは、照度センサ１１で検出した照度と目標照度とを比較し、照明器具２が設置された空間の明るさが目標照度と一致するように調光制御する。
【００２８】
第１目標調光率と第２目標調光率は、それぞれ第１系統と第２系統の調光率の目標値である。照度センサ１１が切のとき、制御部１ａは、第１系統の調光率が第１目標調光率と一致し、第２系統の調光率が第２目標調光率と一致するように、調光信号線接続端子１２ａ、１２ｂから調光信号を出力する。
【００２９】
スケジュール設定情報は、時刻とシーン番号からなるスケジュールパターンを少なくとも１つ有する。本実施の形態では、一例として、スケジュールパターンがパターン１の１つみの場合が図６に示されている。
【００３０】
スケジュールパターンとしてパターン１が指定された場合、時刻０時からシーン番号１に対応する制御が実施される。このとき、照度センサ１１はオフされ、第１系統および第２系統は、調光率が８０％となるように制御される。次に、時刻４時からシーン番号２に対応する制御が実施される。このとき、照度センサ１１はオフされ、第１系統および第２系統は、調光率が１００％となるように制御される。
【００３１】
次に、時刻８時からシーン番号３に対応する制御が実施される。このとき、照度センサ１１がオンされ、第１系統は照度が１０００ｌｘとなるように制御される。また、第２系統は調光率が１００％となるように制御される。次に、時刻１６時からシーン番号２に対応する制御が実施される。このとき、照度センサ１１はオフされ、第１系統および第２系統は、調光率が１００％となるように制御される。
【００３２】
次に、時刻１９時からシーン番号４に対応する制御が実施される。このとき、照度センサ１１はオフされ、第１系統および第２系統は、調光率が９０％となるように制御される。次に、時刻２２時からシーン番号１に対応する制御が実施される。このとき、照度センサ１１はオフされ、第１系統および第２系統は、調光率が８０％となるように制御される。
【００３３】
このように、スケジュール運転では、パターン番号を指定することで時刻毎に予め指定した調光制御が実施される。図５、図６に示されるシーン設定情報とスケジュール設定情報は一例である。シーン設定情報とスケジュール設定情報は、図５、６に示されるもの以外の情報を有しても良い。例えば、コントローラ１は人感センサを有し、人感センサに応じた制御データがシーン設定情報に組み込まれても良い。
【００３４】
内部システム６０が通信機器３と通信しない場合、内部システム６０はコントローラ１に予め設定された情報に基づきスタンドアローンで動作する。つまり、コントローラ１は予め第１メモリ１ｂに記憶された第１設定情報に基づき、スケジュール運転を実施する。これに対し、照明制御システム７０では、ＰＣ４からネットワークを介してコントローラ１の運転をデマンド制御するように設定を変更できる。
【００３５】
内部システム６０を後からデマンド制御が可能な照明制御システム７０に変更する場合を考える。このとき、変更前のコントローラ１の第１メモリ１ｂに保存されているシーン設定情報を、デマンド制御に対応するように書き換える必要がある。
【００３６】
本実施の形態では、コントローラ１の第１メモリ１ｂに保存されている設定情報に第２設定情報を追加する。第２設定情報は、ＰＣ４からのデマンド制御に対応するシーン設定情報である。第２設定情報は、通信機器３から送信される。コントローラ１は、第２設定情報を受信すると第２設定情報を第１メモリ１ｂに記憶する。
【００３７】
図７は、実施の形態１に係る変更後のシーン設定情報を説明する図である。シーン番号１〜４に対応するシーン情報は、変更前から第１メモリ１ｂに記憶されていた第１設定情報である。シーン番号５、６に対応するシーン情報は、通信機器３から送信された第２設定情報である。ここで、通信機器３は、第１設定情報を含めて第１メモリ１ｂが記憶する設定情報を上書きしても良い。
【００３８】
デマンド制御では、ＰＣ４からネットワークを介して、シーン番号５または６の制御が実施される。シーン番号５が指定された場合、照度センサ１１はオフされ、第１系統および第２系統は、調光率が３０％となるように制御される。シーン番号６が指定された場合、照度センサ１１はオフされ、第１系統および第２系統は、調光率が５０％となるように制御される。
【００３９】
デマンド制御用の第２設定情報は、通常のスケジュール運転または明るさ一定制御用の第１設定情報よりも、複数の照明器具２の目標調光率または目標照度が低い。第２設定情報に応じた制御が実施されることで、第１設定情報に応じた制御が実施される場合よりも複数の照明器具２の消費電力を低減できる。
【００４０】
図８は、実施の形態１に係る照明制御システム７０の動作シーケンスを説明する図である。通信線１６を介して通信機器３とコントローラ１との間で送受信される通信信号は、送信元アドレス、送信先アドレス、コマンド及びデータの領域を備える。
【００４１】
まず、ステップ１に示されるように、コントローラ１は通信線１６に接続された機器のアドレスを定期的に要求する。機器アドレス要求コマンドは、送信先アドレスを指定しないブロードキャスト通信で送信される。
【００４２】
次に、ステップ２に示されるように、通信機器３は、コントローラ１に機器アドレス応答を送信する。通信機器３は、例えば自機器に割り当てられたアドレスである１１番を機器アドレス応答として送信する。ここで、照明制御システム７０は複数の通信機器３を備えても良い。この場合、複数の通信機器３には、例えば１１〜１５の機器アドレスがそれぞれ割り当てられる。
【００４３】
ステップ３、４に示されるように、機器アドレス要求コマンドおよび機器アドレス応答は一定の時間間隔で繰り返されても良い。一定の時間間隔は例えば１分毎である。
【００４４】
また、ステップ５に示されるように、通信機器３も通信線１６に接続された機器のアドレスをブロードキャスト通信で定期的に要求する。次に、ステップ６に示されるように、コントローラ１は、通信機器３に機器アドレス応答を送信する。コントローラ１は、例えば自機器に割り当てられたアドレスである１番を機器アドレス応答として送信する。照明制御システム７０は、複数のコントローラ１を備えても良い。複数のコントローラ１には、例えば１〜１０の機器アドレスがそれぞれ割り当てられる。
【００４５】
機器アドレス応答を受信した通信機器３は、通信線１６にコントローラ１が接続されていることを認識する。ステップ１〜４と、ステップ５、６の順番は逆でも良い。
【００４６】
次に、ステップ７に示されるように、通信機器３は、コントローラ１に設定情報の書き込み要求を送信する。設定情報の書き込み要求のデータ領域には、第２設定情報であるシーン設定情報が格納される。
【００４７】
次に、ステップ８に示されるように、設定情報の書き込み要求を受信したコントローラ１は、第２設定情報を第１メモリ１ｂに保存する。次に、ステップ９に示されるように、コントローラ１は、通信機器３に書き込み完了応答を送信する。
【００４８】
次に、ステップ１０に示されるように、書き込み完了応答を受信した通信機器３は送信完了確認を行う。通信機器３は、コントローラ１に送るべき未送信の第２設定情報がある場合、ステップ７に戻り、次の第２設定情報を送信する。通信機器３は、送信した第２設定情報に対して、書き込み完了応答を受信しない場合、再び第２設定情報を送信しても良い。また、通信機器３は、送信した第２設定情報に対して全ての書き込み完了応答を受信したコントローラ１には、第２設定情報を送信しない。
【００４９】
以上で、スタンドアローンで動作する内部システム６０をデマンド制御が可能な照明制御システム７０に変更する設定が完了する。次に、デマンド制御の動作について説明する。デマンド制御の実施前またはデマンド制御の解除後は、コントローラ１は第１設定情報に基づき複数の照明器具２を制御している。
【００５０】
まず、ステップ１１に示されるように、通信機器３は、コントローラ１に状態読み出し要求を送信する。状態読み出し要求は、定期的に送信されても良い。次に、ステップ１２に示されるように、コントローラ１は、状態読み出し要求に応じて通信機器３に状態応答を送信する。
【００５１】
状態読み出し要求によって要求されるデータおよび状態応答により送信されるデータは、複数の照明器具２についての情報である。複数の照明器具２についての情報は、例えば複数の照明器具２の運転状態である。運転状態には、複数の照明器具２の調光率、消費電力、系統毎の調光率または系統毎の消費電力が含まれる。また、複数の照明器具２についての情報は、制御可能な照明器具２の数またはコントローラ１に接続される照明器具２の数であっても良い。また、複数の照明器具２についての情報は、系統毎の消費電力の合計値または全灯時の複数の照明器具２の消費電力であっても良い。また、複数の照明器具２についての情報は、節電可能な消費電力の系統毎の合計値であっても良い。
【００５２】
また、通信機器３は、ステップ１１ａに示されるように、ＰＣ４から送信された状態読み出し要求を受けて、コントローラ１に状態読み出し要求を送信してもよい。また、ステップ１２ａに示されるように、状態応答を受信した通信機器３は、ＰＣ４に状態応答を送信しても良い。
【００５３】
次に、ステップ１３に示されるように、ＰＣ４の管理者は、通信機器３にシーン設定指令を送信する。シーン設定指令は、第２設定情報に基づく制御の指令である。つまり、シーン設定指令は、デマンド制御を指示するデマンド制御指令である。通信機器３は、ＰＣ４からシーン設定指令を受信すると、設定指令をコントローラ１に送信する。
【００５４】
通信機器３は、状態応答により受信した複数の照明器具２についての情報に応じて、シーン設定指令をコントローラ１に送信しても良い。また、シーン設定指令は、複数の照明器具２についての情報に応じて、ＰＣ４から送信されても良い。シーン設定指令は、例えば複数の照明器具２の消費電力が規定値よりも大きい場合に、通信機器３またはＰＣ４から送信されても良い。
【００５５】
シーン設定指令のデータ領域には、ステップ７の設定情報の書き込み要求でコントローラ１に送信された第２設定情報の内、デマンド制御が設定されたシーン番号のいずれかが格納される。本実施の形態では、デマンド制御が設定されたシーン番号は、シーン番号５、６である。
【００５６】
コントローラ１は、シーン設定指令を受信すると、シーン設定指令に含まれるシーン番号に対応する調光指令値に基づき、照明器具２ａ〜２ｄを制御する。つまり、コントローラ１は、ステップ１４に示されるように、送信されたシーン番号に応じたデータ列を参照し、照明器具２ａ〜２ｄを調光制御する。これにより、コントローラ１は、第１設定情報に基づいた制御を第２設定情報に基づいた制御に切り替える。従って、照明器具２ａ〜２ｄの調光率が下がり、消費電力を低減できる。
【００５７】
次に、ステップ１５に示されるように、運転状態を変更したコントローラ１は、通信機器３にシーン設定応答を送信する。シーン設定応答を受信した通信機器３は、ＰＣ４にシーン設定応答を送信する。これにより、第２設定情報に基づいた制御に切り替わったことがＰＣ４で確認できる。
【００５８】
次に、デマンド制御の解除方法について説明する。シーン設定指令のデータ領域には制御時間情報が含まれても良い。制御時間情報は、第２設定情報に基づくデマンド制御を行う時間の情報であり、例えば１時間である。この場合、コントローラ１は、シーン設定指令を受信すると、制御時間情報に対応する時間だけ第２設定情報に基づいて複数の照明器具２を制御する。その後、コントローラ１はデマンド制御を解除する。つまり、制御時間情報に対応する時間の経過後、コントローラ１は第１設定情報に基づき複数の照明器具２を制御する。
【００５９】
また、デマンド制御の解除は、ステップ１６〜１８に示されるように行っても良い。まず、ステップ１６に示されるように、ＰＣ４の管理者は、通信機器３にシーン解除指令を送信する。通信機器３は、ＰＣ４からシーン解除指令を受信すると、シーン解除指令をコントローラ１に送信する。
【００６０】
コントローラ１は、ステップ１７に示されるように、シーン解除指令を受信すると、第２設定情報に基づいた制御を終了し、第１設定情報に基づき複数の照明器具２を制御する。つまり、シーン解除指令を受信したコントローラ１は、シーン設定指令を受信する前に行っていたスケジュール運転または明るさ一定制御に復帰する。
【００６１】
次に、ステップ１８に示されるように、運転状態を変更したコントローラ１は、通信機器３にシーン解除応答を送信する。シーン解除応答を受信した通信機器３は、ＰＣ４にシーン解除応答を送信する。これにより、デマンド制御が解除されたことがＰＣ４で確認できる。以上でデマンド制御が終了する。
【００６２】
一般に、照明制御システム７０を導入する予定であっても、ＰＣ４の導入に先んじて、内部システム６０のみで運用されることが多い。これは、ＰＣ４等のネットワーク端末は、設置時の調整等で導入が遅れることが多いためである。また、内部システム６０と異なる製造者が提供するネットワーク端末であれば、更に導入が遅れるおそれがある。このような場合、内部システム６０を後からデマンド制御が可能な照明制御システム７０に変更することが必要となる。
【００６３】
このとき、シーン設定情報の書き換えを赤外線リモコンの操作により行うことが考えられる。この場合、誤操作により、誤った入力がなされるおそれがある。また、複数の照明制御システム７０が複数の店舗または施設に導入されている場合、複数の照明制御システム７０のそれぞれにリモコンで設定を行うと、システム数分の手間及び費用が発生する。
【００６４】
これに対し、本実施の形態では、通信機器３が第２設定情報をコントローラ１に送信する。また、コントローラ１は、第２設定情報を受信すると第２設定情報を第１メモリ１ｂに記憶する。通信機器３とコントローラ１間の通信を用いて、コントローラ１に保存されたシーン設定情報を上書きすることで、シーン設定情報の書き換えを自動で容易に実施できる。また、シーン設定情報の書き換えを手動で行う必要がないため、誤った制御データが入力されて照明制御システム７０が誤動作することを防止できる。
【００６５】
本実施の形態では、ＰＣ４が照明制御システム７０を監視し、消費電力を低減させるデマンド制御を行う。これに限らず、本実施の形態はあらゆる調光制御に適用できる。
【００６６】
また、スケジュール運転または明るさ一定制御に用いられる第１設定情報は、予めコントローラ１の第１メモリ１ｂに記憶されている。これに限らず、第１設定情報は、第２設定情報と同様に通信機器３から送信されても良い。
【００６７】
図９は、実施の形態１の変形例に係る照明制御システム８０を説明する図である。ネットワーク端末は、ＰＣ４に限らずサーバ５でも良い。照明制御システム８０において、通信機器３は、ネットワーククラウド１８を介してサーバ５と接続される。サーバ５は、複数の照明制御システム８０と接続されても良い。サーバ５は例えば、サーバ５が管理する複数のチェーン店それぞれに設置された照明制御システム８０をデマンド制御する。
【００６８】
ネットワーククラウド１８上では、通信プロトコルＢが用いられる。通信プロトコルＢは、調光率等の通信データの構造が定義されたプロトコルである。通信プロトコルＢは、例えばＥＣＨＯＮＥＴ  Ｌｉｔｅ（登録商標）である。規格化され公開された通信インタフェースであるＥＣＨＯＮＥＴ  Ｌｉｔｅを用いることにより、サーバ５と通信機器３の間で調光率信号等を含む通信信号を送受信する通信ソフトウェアを開発することができる。従って、例えばサーバ５と通信機器３を提供する会社が異なる場合にも、通信ソフトウェアを開発することができる。
【００６９】
図１０は、実施の形態１の変形例に係る書き換え後のシーン設定情報を説明する図である。シーン番号１〜４に対応するシーン情報は、照明制御システム７０と同じである。シーン番号５〜８に対応するシーン情報は通信機器３から送信された第２設定情報である。
【００７０】
デマンド制御では、サーバ５からネットワークを介して、シーン番号５〜８の何れかの制御が実施される。シーン番号５、６が指定された場合の制御は、照明制御システム７０と同じである。シーン番号７が指定された場合、照度センサ１１がオンされ、第１系統は照度が７００ｌｘとなるように制御される。また、第２系統は調光率が５５％となるように制御される。シーン番号８が指定された場合、照度センサ１１はオフされ、第１系統および第２系統は、調光率が４０％となるように制御される。
【００７１】
照明制御システム８０においても、照明制御システム７０と同様の効果を得ることができる。
【００７２】
また、通信機器３は、複数の設定情報を第２メモリ３ｂに格納している。複数の設定情報は、例えば図７に示される通信プロトコルＡにひもつけされたシーン設定情報と、図１０に示される通信プロトコルＢにひもつけされたシーン設定情報とを含む。通信機器３は、第２メモリ３ｂに複数格納した複数の設定情報の中から、デマンド制御を行うネットワーク端末の通信プロトコルに対応するシーン設定情報をコントローラ１に送信する。
【００７３】
照明制御システム７０では、通信機器３は図７に示されるシーン設定情報を選択し、コントローラ１に送信する。また、照明制御システム８０では、通信機器３は図９に示されるシーン設定情報を選択し、コントローラ１に送信する。
【００７４】
このような通信機器３の構成により、ネットワーク端末の構成に応じたシーン設定情報を選択して、デマンド制御を実施できる。これに限らず、第２メモリ３ｂは、少なくとも１つの設定情報を記憶していれば良い。また、図９に示されるように、リモコン設定器である赤外線リモコン６を操作して、通信機器３の第２メモリ３ｂに格納された複数の設定情報からコントローラ１に送信するシーン設定情報を選択してもよい。
【００７５】
また、ネットワーク端末に代えてリモコン設定器が、シーン設定指令またはシーン解除指令を通信機器３に送信しても良い。また、リモコン設定器は状態読み出し要求を通信機器３に送信しても良い。この場合、リモコン設定器は状態応答を受信する。使用者は、状態応答により受信した複数の照明器具２についての情報に応じてリモコン設定器を操作し、シーン設定指令またはシーン解除指令をコントローラ１に送信しても良い。
【００７６】
本実施の形態で説明した技術的特徴は適宜に組み合わせて用いてもよい。
【符号の説明】
【００７７】
１  コントローラ、１ａ  制御部、１ｂ  第１メモリ、２、２ａ〜２ｄ  照明器具、３  通信機器、３ａ  制御部、３ｂ  第２メモリ、４  ＰＣ、５  サーバ、６  赤外線リモコン、１１  照度センサ、１２ａ、１２ｂ  調光信号線接続端子、１３  通信線接続端子、１５  調光線、１６  通信線、１８  ネットワーククラウド、２１  光源、２２  調光端子、３１  ネットワーク接続端子、３２  通信線接続端子、６０  内部システム、７０、８０  照明制御システム
【図１】
2020149910.tif 000003
【図２】
2020149910.tif 000004
【図３】
2020149910.tif 000005
【図４】
2020149910.tif 000006
【図５】
2020149910.tif 000007
【図６】
2020149910.tif 000008
【図７】
2020149910.tif 000009
【図８】
2020149910.tif 000010
【図９】
2020149910.tif 000011
【図１０】
2020149910.tif 000012